(57)【要約】【課題】  ローン金利が上昇した場合であっても変動金利型ローンの債務者にかかる返済負担増を抑えるのに好適なローン契約管理プログラムを提供する。【解決手段】  本発明では、変動金利型のローンの適用金利が変動した際に、返済期限を固定したまま元利均等となる１回あたりの返済額を再計算するのではなく、元利均等となる１回あたりの返済額を一定の基準額に抑えることによって返済回数を変更し、これにあわせて返済期限を更新する。具体的には図８のＳ８〜Ｓ１０に示したとおり、契約条件ＤＢから当該契約の最新のローン残高、１回あたりの返済の上限金額を読み出し、１回あたりの返済額が上限金額以下であり、かつ上限金額に近似する元利均等となる返済金額と返済期限を決定し、契約条件ＤＢに記憶された返済条件のうち、適用金利、各回返済額、返済期限を更新する。【選択図】        図８
2011165016.tif 000002
【特許請求の範囲】
【請求項１】
ローン金利の変動に対応してローン契約に定められた返済期限を更新するためのローン契約管理プログラムであって、コンピュータに、
金利テーブルから読み出した、又は入力装置からの入力を受け付けた最新のローンの基準金利から、所定のローン契約に適用される適用金利を決定する適用金利決定ステップと、
前記ローン契約の契約条件に関する情報を記憶する契約条件記憶手段から、前記契約条件に関する情報に含まれる前記ローン契約において定められた１回あたりの返済基準額と最新のローン残高を読み出し、前記ローン残高に前記適用金利決定ステップで決定された適用金利を適用して、元利均等で返済する場合の１回あたりの返済額が前記返済基準額となる返済回数を演算して返済期限を決定する返済期限決定ステップと、
前記契約条件記憶手段に記憶されたローン契約の契約条件に関する情報に含まれる前記ローン契約の返済期限を、前記返済期限決定ステップで決定された返済期限に更新する返済期限更新ステップと、
を実行させることを特徴とするローン契約管理プログラム。
【請求項２】
前記返済基準額には１回あたりの返済額の上限金額が設定されていて、
前記返済期限決定ステップでは、前記上限金額を超過せず、かつ返済期限までの返済回数が整数回となる返済額を１回あたりの返済額として返済回数を演算し、前記返済期限を決定すること
を特徴とする請求項１記載のローン契約管理プログラム。
【請求項３】
前記返済基準額にはローン契約時に定められた１回あたりの返済額が設定されていて、
前記返済期限決定ステップでは、返済期限までの返済回数が整数回とならない場合には、返済回数の端数を切り上げ又は切り下げて前記返済期限を決定すること
を特徴とする請求項１記載のローン契約管理プログラム。
【請求項４】
前記コンピュータに、
前記適用金利決定ステップで決定した適用金利を、前記契約条件記憶手段に記憶されたローン契約の契約条件に関する情報に含まれる前記ローン契約に適用される適用金利と対比する適用金利対比ステップと、
前記適用金利対比ステップにおいて、前記適用金利決定ステップで決定した適用金利が前記ローン契約に適用される適用金利に満たないことが確認された場合には、前記契約条件記憶手段から、前記契約条件記憶手段に記憶されたローン契約の契約条件に関する情報に含まれる前記ローン契約において定められた返済期限と最新のローン残高を読み出し、前記ローン残高に前記適用金利決定ステップで決定された適用金利を適用して、前記返済期限まで元利均等で返済する場合の１回あたりの返済額を演算する返済額演算ステップと、
前記契約条件記憶手段に記憶されたローン契約の契約条件に関する情報に含まれる１回あたりの返済額を、前記返済額演算ステップで演算された返済額に更新する返済額更新ステップと、
を実行させることを特徴とする請求項１乃至３いずれかに記載のローン契約管理プログラム。
【請求項５】
ローン金利の変動に対応してローン契約に定められた返済期限を更新するためのローン契約管理装置であって、
ローン契約の契約条件に関する情報を記憶する契約条件記憶手段と、
金利テーブルから読み出した、又は入力装置からの入力を受け付けた最新のローンの基準金利から、所定のローン契約に適用される適用金利を決定する適用金利決定手段と、
前記契約条件記憶手段から、前記契約条件記憶手段に記憶されたローン契約の契約条件に関する情報に含まれる前記ローン契約において定められた１回あたりの返済基準額と最新のローン残高を読み出し、前記ローン残高に前記適用金利決定手段により決定された適用金利を適用して、元利均等で返済する場合の１回あたりの返済額が前記返済基準額となる返済回数を演算して返済期限を決定する返済期限決定手段と、
前記契約条件記憶手段に記憶されたローン契約の契約条件に関する情報に含まれる前記ローン契約の返済期限を、前記返済期限決定手段により決定された返済期限に更新する返済期限更新手段と、
を備えることを特徴とするローン契約管理装置。
【請求項６】
前記返済基準額には１回あたりの返済額の上限金額が設定されていて、
前記返済期限決定手段は、前記上限金額を超過せず、かつ返済期限までの返済回数が整数回となる返済額を１回あたりの返済額として返済回数を演算し、前記返済期限を決定すること
を特徴とする請求項５記載のローン契約管理装置。
【請求項７】
前記返済基準額にはローン契約時に定められた１回あたりの返済額が設定されていて、
前記返済期限決定手段は、返済期限までの返済回数が整数回とならない場合には、返済回数の端数を切り上げ又は切り下げて前記返済期限を決定すること
を特徴とする請求項５記載のローン契約管理装置。
【請求項８】
前記適用金利決定ステップにより決定された適用金利を、前記契約条件記憶手段に記憶されたローン契約の契約条件に関する情報に含まれる前記ローン契約に適用される適用金利と対比する適用金利対比手段と、
前記適用金利対比手段において、前記適用金利決定手段により決定された適用金利が前記ローン契約に適用される適用金利に満たないことが確認された場合には、前記契約条件記憶手段から、前記契約条件記憶手段に記憶されたローン契約の契約条件に関する情報に含まれる前記ローン契約において定められた返済期限と最新のローン残高を読み出し、前記ローン残高に前記適用金利決定手段により決定された適用金利を適用して、前記返済期限まで元利均等で返済する場合の１回あたりの返済額を演算する返済額演算手段と、
前記契約条件記憶手段に記憶されたローン契約の契約条件に関する情報に含まれる１回あたりの返済額を、前記返済額演算手段により演算された返済額に更新する返済額更新手段と、
を備えることを特徴とする請求項５乃至７いずれかに記載のローン契約管理装置。
【請求項９】
ローン金利の変動に対応してローン契約に定められた返済期限を更新するためのローン契約の管理方法であって、
ローン契約を管理するコンピュータが、金利テーブルから読み出した、又は入力装置からの入力を受け付けた最新のローンの基準金利から、所定のローン契約に適用される適用金利を決定する適用金利決定ステップと、
前記コンピュータが、前記ローン契約の契約条件に関する情報を記憶する契約条件記憶手段から、前記契約条件に関する情報に含まれる前記ローン契約において定められた１回あたりの返済基準額と最新のローン残高を読み出し、前記ローン残高に前記適用金利決定ステップで決定された適用金利を適用して、元利均等で返済する場合の１回あたりの返済額が前記返済基準額となる返済回数を演算して返済期限を決定する返済期限決定ステップと、
前記コンピュータが、前記契約条件記憶手段に記憶されたローン契約の契約条件に関する情報に含まれる前記ローン契約の返済期限を、前記返済期限決定ステップで決定された返済期限に更新する返済期限更新ステップと、
を有することを特徴とするローン契約の管理方法。
【請求項１０】
前記返済基準額には１回あたりの返済額の上限金額が設定されていて、
前記返済期限決定ステップにおいて、前記コンピュータは、前記上限金額を超過せず、かつ返済期限までの返済回数が整数回となる返済額を１回あたりの返済額として返済回数を演算し、前記返済期限を決定すること
を特徴とする請求項９記載のローン契約の管理方法。
【請求項１１】
前記返済基準額にはローン契約時に定められた１回あたりの返済額が設定されていて、
前記返済期限決定ステップにおいて、返済期限までの返済回数が整数回とならない場合には、前記コンピュータは、返済回数の端数を切り上げ又は切り下げて前記返済期限を決定すること
を特徴とする請求項９記載のローン契約の管理方法。
【請求項１２】
前記コンピュータが、前記適用金利決定ステップで決定した適用金利を、前記契約条件記憶手段に記憶されたローン契約の契約条件に関する情報に含まれる前記ローン契約に適用される適用金利と対比する適用金利対比ステップと、
前記コンピュータが、前記適用金利対比ステップにおいて、前記適用金利決定ステップで決定した適用金利が前記ローン契約に適用される適用金利に満たないことが確認された場合には、前記契約条件記憶手段から、前記契約条件記憶手段に記憶されたローン契約の契約条件に関する情報に含まれる前記ローン契約において定められた返済期限と最新のローン残高を読み出し、前記ローン残高に前記適用金利決定ステップで決定された適用金利を適用して、前記返済期限まで元利均等で返済する場合の１回あたりの返済額を演算する返済額演算ステップと、
前記コンピュータが、前記契約条件記憶手段に記憶されたローン契約の契約条件に関する情報に含まれる１回あたりの返済額を、前記返済額演算ステップで演算された返済額に更新する返済額更新ステップと、
を有することを特徴とする請求項９乃至１１いずれかに記載のローン契約の管理方法。
【発明の詳細な説明】
【技術分野】
【０００１】
本発明は、ローン金利の変動に対応してローン契約に定められた返済期限を更新するためのローン契約管理プログラム、ローン契約管理装置、及びローン契約の管理方法に関するものである。
【背景技術】
【０００２】
長期ローンの返済には、ローンの元本を均等に分割して返済する元本均等返済と、ローンの元本と返済期限までに発生する支払利息の合計額を均等に分割して返済する元利均等返済の２種類の方法がある。元本均等返済によると、１回あたりの返済額はローン残高の減少に従って段階的に減少することとなるため、債務者（借入人）にかかる当初の返済負担が重くなってしまう。そのため、住宅ローンのように主に個人が利用する長期ローンでは、期間中の返済負担が平準化される元利均等返済が選択されることが一般的である。
【０００３】
一般に、このような長期ローンの契約条件は、ローンを実行した金融機関のコンピュータシステムにおいて管理され、ローンの残高や適用金利、返済期限などの条件が指定されれば、各回の返済予定を出力することが可能になっている（例えば、特許文献１の図２、図３参照）。
【０００４】
ところで、住宅ローン等の長期ローンには、返済期限までの同一の固定金利が適用される固定金利型のローンと、返済期限までの市場金利の変動に連動して適用する金利が変動する変動金利型のローンの２種類がある。住宅ローン等を元利均等で返済する場合に、固定金利型のローンであれば期間中に適用金利が変更されることはないので、１回あたりの返済額はローン契約時に決定された金額で固定されるが、変動金利型のローンにおいて適用金利が変更されると、返済期限を固定したまま元利均等の再計算が行われて、１回あたりの返済額が変動することになる。
【先行技術文献】
【特許文献】
【０００５】
【特許文献１】特開２００５−１０７７５３号公報
【発明の概要】
【発明が解決しようとする課題】
【０００６】
債務者が返済期限までの金利変動リスクを回避したい場合は固定金利型のローンを選択することとすればよいが、同一時期における固定金利と変動金利の水準を比較すると、固定金利のほうが高い水準にあることが一般的である。そのため、特に近年のように低金利が継続する局面においては、当面の金利負担を抑えるために変動金利型のローンが選好される傾向がある。
【０００７】
しかしながら、変動金利型のローンを選択することによって当初の金利水準を抑えたとしても、返済期限が到来するまでに市場金利が上昇し、ローンに適用される金利も当初より高い水準に変更されることになると、支払利息の増加により１回あたりの返済額（例えば毎月の返済額）が増額され、債務者の返済負担が増すことになってしまう。債務者、金融機関等の債権者の双方にとって、特に現在のような低金利下においては、金利上昇による返済負担の増加により返済が滞るリスクが懸念されるところである。
【０００８】
本発明は、このような課題に対応するためになされたものであり、ローン金利が上昇した場合であっても、変動金利型ローンの債務者にかかる返済負担増を抑えるのに好適な、ローン金利の変動に対応してローン契約に定められた返済期限を更新するためのローン契約管理プログラム、ローン契約管理装置、及びローン契約の管理方法を提供することを目的とするものである。
【課題を解決するための手段】
【０００９】
このような課題を解決する本発明は、ローン金利の変動に対応してローン契約に定められた返済期限を更新するためのローン契約管理プログラムであって、コンピュータに、金利テーブルから読み出した、又は入力装置からの入力を受け付けた最新のローンの基準金利から、所定のローン契約に適用される適用金利を決定する適用金利決定ステップと、前記ローン契約の契約条件に関する情報を記憶する契約条件記憶手段から、前記契約条件に関する情報に含まれる前記ローン契約において定められた１回あたりの返済基準額と最新のローン残高を読み出し、前記ローン残高に前記適用金利決定ステップで決定された適用金利を適用して、元利均等で返済する場合の１回あたりの返済額が前記返済基準額となる返済回数を演算して返済期限を決定する返済期限決定ステップと、前記契約条件記憶手段に記憶されたローン契約の契約条件に関する情報に含まれる前記ローン契約の返済期限を、前記返済期限決定ステップで決定された返済期限に更新する返済期限更新ステップと、を実行させることを特徴とするローン契約管理プログラムである。
【００１０】
本発明では、変動金利型のローンの適用金利が変動した際に、返済期限を固定したまま元利均等となる１回あたりの返済額を再計算するのではなく、元利均等となる１回あたりの返済額を一定の基準額に抑えることによって返済回数を変更し、これにあわせて返済期限を更新するよう構成することによって、変動金利型のローンの適用金利が上昇した場合にも、１回あたりの返済額が基準額以上に増加することを回避し、債務者にかかる返済負担の増加を抑えることが可能になっている。
【００１１】
尚、本発明において、返済回数を演算する際の１年あたりの返済回数は特に限定されるものではなく、年１回、３ヶ月に１回、毎月１回など、どのように設定されるものであってもよい。また、適用金利を決定するタイミングについても特に限定されず、例えば、半年に１度といった頻度で見直しを行うこととすればよい。
【００１２】
本発明は、前記返済基準額には１回あたりの返済額の上限金額が設定されていて、前記返済期限決定ステップでは、前記上限金額を超過せず、かつ返済期限までの返済回数が整数回となる返済額を１回あたりの返済額として返済回数を演算し、前記返済期限を決定することを特徴とすることもできる。
【００１３】
このように設定すると、金利変動を反映した１回あたりの返済額は、あらかじめ設定した上限金額を超過しない額となるので、変動金利型のローンであっても債務者にかかる１回あたりの返済負担を一定の金額以下に抑えることが可能になる。
【００１４】
本発明は、前記返済基準額にはローン契約時に定められた１回あたりの返済額が設定されていて、前記返済期限決定ステップでは、返済期限までの返済回数が整数回とならない場合には、返済回数の端数を切り上げ又は切り下げて前記返済期限を決定することを特徴とすることもできる。
【００１５】
このように設定すると、金利変動を反映した１回あたりの返済額は、ローン契約時に定められた１回あたりの返済額で固定されるので、変動金利型のローンであっても債務者にかかる１回あたりの返済負担を固定することが可能になる。
【００１６】
本発明は、前記コンピュータに、前記適用金利決定ステップで決定した適用金利を、前記契約条件記憶手段に記憶されたローン契約の契約条件に関する情報に含まれる前記ローン契約に適用される適用金利と対比する適用金利対比ステップと、前記適用金利対比ステップにおいて、前記適用金利決定ステップで決定した適用金利が前記ローン契約に適用される適用金利に満たないことが確認された場合には、前記契約条件記憶手段から、前記契約条件記憶手段に記憶されたローン契約の契約条件に関する情報に含まれる前記ローン契約において定められた返済期限と最新のローン残高を読み出し、前記ローン残高に前記適用金利決定ステップで決定された適用金利を適用して、前記返済期限まで元利均等で返済する場合の１回あたりの返済額を演算する返済額演算ステップと、前記契約条件記憶手段に記憶されたローン契約の契約条件に関する情報に含まれる１回あたりの返済額を、前記返済額演算ステップで演算された返済額に更新する返済額更新ステップと、を実行させることを特徴としてもよい。
【００１７】
本発明において、適用金利が低下した場合にも、適用金利が上昇した場合と同様の演算によって、１回あたりの返済額を固定したまま返済期限を更新する（金利低下分だけ返済期間は短縮される）こととしてもよいが、適用金利が低下した場合については、上記のように一般的な元利均等返済と同様の演算によって、返済期限を固定して１回あたりの返済額を変更し（金利低下分だけ返済額は減少する）、債務者にかかる１回あたりの返済負担を軽減するよう構成してもよい。
【００１８】
本発明は、本発明にかかるローン契約管理プログラムを備えた、ローン契約管理装置として特定することもできる。
【００１９】
本発明にかかるローン契約管理装置は、ローン金利の変動に対応してローン契約に定められた返済期限を更新するためのローン契約管理装置であって、ローン契約の契約条件に関する情報を記憶する契約条件記憶手段と、金利テーブルから読み出した、又は入力装置からの入力を受け付けた最新のローンの基準金利から、所定のローン契約に適用される適用金利を決定する適用金利決定手段と、前記契約条件記憶手段から、前記契約条件記憶手段に記憶されたローン契約の契約条件に関する情報に含まれる前記ローン契約において定められた１回あたりの返済基準額と最新のローン残高を読み出し、前記ローン残高に前記適用金利決定手段により決定された適用金利を適用して、元利均等で返済する場合の１回あたりの返済額が前記返済基準額となる返済回数を演算して返済期限を決定する返済期限決定手段と、前記契約条件記憶手段に記憶されたローン契約の契約条件に関する情報に含まれる前記ローン契約の返済期限を、前記返済期限決定手段により決定された返済期限に更新する返済期限更新手段と、を備えることを特徴とするローン契約管理装置である。
【００２０】
本発明にかかるローン契約管理装置は、前記返済基準額には１回あたりの返済額の上限金額が設定されていて、前記返済期限決定手段は、前記上限金額を超過せず、かつ返済期限までの返済回数が整数回となる返済額を１回あたりの返済額として返済回数を演算し、前記返済期限を決定することを特徴とすることもできる。
【００２１】
本発明にかかるローン契約管理装置は、前記返済基準額にはローン契約時に定められた１回あたりの返済額が設定されていて、前記返済期限決定手段は、返済期限までの返済回数が整数回とならない場合には、返済回数の端数を切り上げ又は切り下げて前記返済期限を決定することを特徴とすることもできる。
【００２２】
本発明にかかるローン契約管理装置は、前記適用金利決定ステップにより決定された適用金利を、前記契約条件記憶手段に記憶されたローン契約の契約条件に関する情報に含まれる前記ローン契約に適用される適用金利と対比する適用金利対比手段と、前記適用金利対比手段において、前記適用金利決定手段により決定された適用金利が前記ローン契約に適用される適用金利に満たないことが確認された場合には、前記契約条件記憶手段から、前記契約条件記憶手段に記憶されたローン契約の契約条件に関する情報に含まれる前記ローン契約において定められた返済期限と最新のローン残高を読み出し、前記ローン残高に前記適用金利決定手段により決定された適用金利を適用して、前記返済期限まで元利均等で返済する場合の１回あたりの返済額を演算する返済額演算手段と、前記契約条件記憶手段に記憶されたローン契約の契約条件に関する情報に含まれる１回あたりの返済額を、前記返済額演算手段により演算された返済額に更新する返済額更新手段と、を備えることを特徴としてもよい。
【００２３】
本発明は、本発明にかかるローン契約管理プログラム、又はローン契約管理装置によって実行される、ローン契約の管理方法として特定することもできる。
【００２４】
本発明にかかるローン契約の管理方法は、ローン金利の変動に対応してローン契約に定められた返済期限を更新するためのローン契約の管理方法であって、ローン契約を管理するコンピュータが、金利テーブルから読み出した、又は入力装置からの入力を受け付けた最新のローンの基準金利から、所定のローン契約に適用される適用金利を決定する適用金利決定ステップと、前記コンピュータが、前記ローン契約の契約条件に関する情報を記憶する契約条件記憶手段から、前記契約条件に関する情報に含まれる前記ローン契約において定められた１回あたりの返済基準額と最新のローン残高を読み出し、前記ローン残高に前記適用金利決定ステップで決定された適用金利を適用して、元利均等で返済する場合の１回あたりの返済額が前記返済基準額となる返済回数を演算して返済期限を決定する返済期限決定ステップと、前記コンピュータが、前記契約条件記憶手段に記憶されたローン契約の契約条件に関する情報に含まれる前記ローン契約の返済期限を、前記返済期限決定ステップで決定された返済期限に更新する返済期限更新ステップと、を有することを特徴とするローン契約の管理方法である。
【００２５】
本発明にかかるローン契約の管理方法は、前記返済基準額には１回あたりの返済額の上限金額が設定されていて、前記返済期限決定ステップにおいて、前記コンピュータは、前記上限金額を超過せず、かつ返済期限までの返済回数が整数回となる返済額を１回あたりの返済額として返済回数を演算し、前記返済期限を決定することを特徴とすることもできる。
【００２６】
本発明にかかるローン契約の管理方法は、前記返済基準額にはローン契約時に定められた１回あたりの返済額が設定されていて、前記返済期限決定ステップにおいて、返済期限までの返済回数が整数回とならない場合には、前記コンピュータは、返済回数の端数を切り上げ又は切り下げて前記返済期限を決定することを特徴とすることもできる。
【００２７】
本発明にかかるローン契約の管理方法は、前記コンピュータが、前記適用金利決定ステップで決定した適用金利を、前記契約条件記憶手段に記憶されたローン契約の契約条件に関する情報に含まれる前記ローン契約に適用される適用金利と対比する適用金利対比ステップと、前記コンピュータが、前記適用金利対比ステップにおいて、前記適用金利決定ステップで決定した適用金利が前記ローン契約に適用される適用金利に満たないことが確認された場合には、前記契約条件記憶手段から、前記契約条件記憶手段に記憶されたローン契約の契約条件に関する情報に含まれる前記ローン契約において定められた返済期限と最新のローン残高を読み出し、前記ローン残高に前記適用金利決定ステップで決定された適用金利を適用して、前記返済期限まで元利均等で返済する場合の１回あたりの返済額を演算する返済額演算ステップと、前記コンピュータが、前記契約条件記憶手段に記憶されたローン契約の契約条件に関する情報に含まれる１回あたりの返済額を、前記返済額演算ステップで演算された返済額に更新する返済額更新ステップと、を有することを特徴としてもよい。
【発明の効果】
【００２８】
本発明によると、変動金利型のローンの適用金利が変動した際に、これによって生じる支払利息の変動を、１回あたりの返済額ではなく返済期限によって調整するので、変動金利型のローンにおける元利均等となる１回あたりの返済額が、金利の上昇局面においても増加することなく、債務者にかかる返済負担の増加を抑えることが可能になる。これによって、低金利期に実行された変動金利型の長期ローンに内在する金利上昇リスクに対応することが可能になり、債務者、債権者の双方のリスク管理に好適である。
【００２９】
尚、本発明によると、金利上昇時には返済回数の増加によって当初の条件よりも返済期限が後倒しとなり、返済期間が延長されることになるため、債権者が負担する与信リスクが高まる可能性が考えられるが、一般に金利上昇期には不動産等の資産価格も上昇し、住宅ローンであれば担保物件となる住宅の価格も上昇することが多いため、担保価値の上昇によって債権保全が強化されることによって、逆に債権者の負担するリスクが低下することも想定され、債権者に著しい不利益は生じにくいと考えられる。
【００３０】
また、金利低下時にも同様の方法により返済回数を減少させることとする場合は、一回あたりの返済額が減少することはないので、金利が低下するデフレ下において実質的な返済負担が重くなる可能性が生じるが、逆にローンの期間が短縮されることによって、債務者の精神的な重圧感が軽減されるというメリットが生じることも考えられる。
【図面の簡単な説明】
【００３１】
【図１】本発明にかかるローン契約管理装置の構成を示すブロック図である。
【図２】本発明にかかるローン契約管理装置の顧客ＤＢの一例を示す図である。
【図３】本発明にかかるローン契約管理装置の、第１の実施形態における契約条件ＤＢの一例を示す図である。
【図４】金利変動に伴う一般的なローンの返済条件の更新方法の一例を示す図である。
【図５】本発明の第１の実施形態における、金利変動（金利上昇時）に伴うローンの返済条件の更新方法の一例を示す図である。
【図６】本発明の第１の実施形態における、金利変動（金利低下時）に伴うローンの返済条件の更新方法の第１の例を示す図である。
【図７】本発明の第１の実施形態における、金利変動（金利低下時）に伴うローンの返済条件の更新方法の第２の例を示す図である。
【図８】本発明の第１の実施形態における、金利変動に伴うローンの返済条件の更新方法の処理フローを示すフローチャートである。
【図９】本発明にかかるローン契約管理装置の、第２の実施形態における契約条件ＤＢの一例を示す図である。
【図１０】本発明の第２の実施形態における、金利変動（金利上昇時）に伴うローンの返済条件の更新方法の一例を示す図である。
【図１１】本発明の第２の実施形態における、金利変動（金利低下時）に伴うローンの返済条件の更新方法の第１の例を示す図である。
【図１２】本発明の第２の実施形態における、金利変動（金利低下時）に伴うローンの返済条件の更新方法の第２の例を示す図である。
【図１３】本発明の第２の実施形態における、金利変動に伴うローンの返済条件の更新方法の処理フローを示すフローチャートである。
【図１４】本発明にかかるローン契約管理装置により出力される返済予定表の一例を示す図である。
【発明を実施するための形態】
【００３２】
本発明を実施するための形態について、図面を用いて以下に詳細に説明する。尚、以下の説明は本発明の実施形態の一例を示したものであって、データベースの構成や項目などの具体例によって、本発明が限定的に解釈されるものではない。
【００３３】
図１は、本発明にかかるローン契約管理装置の構成を示している。図１において、ローン契約管理装置１０は、顧客ＤＢ（データベース）１１、契約条件ＤＢ（データベース）１２、金利テーブル１３、入力処理部１４、出力処理部１５、金利情報更新部１６、返済条件更新部１７を含んで構成されている。ローン契約管理装置１０は、ＣＰＵ、メインメモリ、ＨＤＤ等の補助記憶装置を備え、アプリケーションプログラムによる演算処理が可能なコンピュータであればよく、その他のハードウェアの構成について特に限定されるものではない。
【００３４】
ローン契約管理装置１０には、キーボードやマウス等の入力装置２０からデータの入力が可能であり、ローン契約管理装置１０による演算処理の結果は、ディスプレイやプリンタ等の出力装置３０に出力される。金利テーブル１３の金利情報は、ネットワークを介して接続された金利ＤＢ（データベース）４０から取得したデータにより更新するよう構成してもよい。
【００３５】
顧客ＤＢ（データベース）１１、契約条件ＤＢ（データベース）１２、金利テーブル１３には、コンピュータのＨＤＤ等の記憶装置の所定の記憶領域が割り当てられるが、これらの情報の記憶に用いられるハードウェアの構成は特に限定されるものではなく、ローン契約管理装置１０においてアプリケーションプログラムによる演算処理を実行するコンピュータと同一のコンピュータのＨＤＤに割り当てられるものであってもよいし、このコンピュータとは物理的に異なるデータベースサーバ等の他のコンピュータを用いることとしてもよい。
【００３６】
入力処理部１４、出力処理部１５、金利情報更新部１６、返済条件更新部１７の各部は、いずれも機能的に特定されるものであって、これらの機能に対応するアプリケーションプログラムがＨＤＤ等の記憶装置からメインメモリに読み出され、ＣＰＵで演算処理が実行されることによって、各々の機能が実現される。
【００３７】
入力処理部１４は、入力装置２０からのデータの入力を受け付け、顧客ＤＢ１１や契約条件ＤＢ１２への情報の書き込み等の処理を実行する。出力処理部１５は、入力装置２０からのデータの出力命令を受け付けて、顧客ＤＢ１１や契約条件ＤＢ１２に記憶されたデータから生成した所定の情報を出力装置３０に出力する。
【００３８】
顧客ＤＢ１１には、ローンを利用する顧客の属性情報が記憶されている。図２は、顧客ＤＢ１１において顧客毎に設けられるレコードの一例を示したものであるが、各々の顧客を識別する顧客ＩＤと、顧客の氏名、住所等の属性情報が関連付けて記憶されている。
【００３９】
契約条件ＤＢ１２には、顧客との間で締結されたローン契約の契約条件に関する情報が記憶されている。図３は、契約条件ＤＢ１２において契約毎に設けられるレコードの一例を示したものであるが、各々の契約を識別する契約ＩＤと、ローンの元本、適用される金利、各回の返済額などの契約条件に関する情報が関連付けて記憶されている。尚、「初回適用金利」「各回返済上限」のフィールドは、後に説明する実施態様に応じて必要になる項目である。契約条件ＤＢ１２は、顧客ＤＢ１１と顧客ＩＤによって紐付けられ、一人の顧客が２以上のローン契約を締結する場合には、一の顧客ＩＤが契約条件ＤＢ１２の複数のレコードに書き込まれることになる。
【００４０】
ここで、例えば、あるローン契約についての返済予定を確認したい場合には、入力装置２０を操作して出力処理部１５に返済予定表の出力命令を行うと、契約条件ＤＢ１２から該当するローン契約の適用金利、最新の残高、返済期限などの情報を読み出して、これらの情報から図１４の例に示したような返済予定表を生成し、出力装置３０に出力する。
【００４１】
金利テーブル１３には、ローンの基準となる金利に関する情報が記憶されていて、変動金利型のローンに適用される金利の基準となる利率も、ここに記憶されている。住宅ローン等に適用される金利では、基準となる利率に顧客の信用力等に応じて設定された優遇条件を適用して、実際に適用する利率を決定することが一般的である。金利テーブル１３に記憶された金利情報は、金利情報更新部１６が定期的に起動され、金利ＤＢ４０から最新のデータを取得して更新されるが、金利情報の更新は入力装置２０から入力されるものであってもよい。
【００４２】
返済条件更新部１７は、本発明にかかるローン契約管理プログラムに対応する処理を実行する。返済条件更新部１７は、ローン契約に適用される金利の見直しを行うタイミングで起動され、契約条件ＤＢ１２に記憶された各々のローン契約の契約条件について、金利テーブル１３から最新の金利情報を読み出して金利変動の有無を判断し、金利が変動している場合には適用金利を変更し、これにあわせてローンの返済期限を調整して、ローンの返済条件を更新する。
【００４３】
ここで、金利変動に伴う一般的なローンの返済条件の更新方法について、図４を用いて説明する。契約条件ＤＢ１２には、図３に例示した契約条件に関する情報が記憶されているという前提で、例えば、ローンの実行から１年が経過した後に、基準となる利率が２．２５％から２．５％に上昇し、優遇条件を反映した適用金利が１．２５％から１．５％に上昇すると、返済条件は次のような方法で更新される。
【００４４】
適用金利が変動した場合にも、通常、ローン契約で定められた返済期限が変更されることはない。そこで、返済期限、すなわち期限までの返済回数（２０３３年１月３１日までの２６５回）を固定したままで、最新の残高（２８，８７１，７２６円）に変動後の金利（１．５％）を適用して、元利均等となる１回あたりの返済額を演算する。その結果、１回あたりの返済額は１２８，０５７円となるので、返済条件のうち「各回返済額」のフィールドが１２８，０５７円に書き換えられることになる。
【００４５】
このように、従来の返済条件の更新方法では、返済期限を固定したまま、１回あたりの返済額を変動させることによって、金利変動によって生じる支払利息の増減を調整することとしている。そのため、金利が上昇すると１回あたりの返済額が増加し、債務者の返済負担が増すという問題が生じているが、本発明ではその逆の発想に基づき、１回あたりの返済額を固定し、返済期限を変動させることによって、金利変動によって生じる支払利息の増減を調整することとしている。そのため、金利上昇時であっても１回あたりの返済額が増加することはなく、債務者の返済負担が増すことを回避することができる。また、かかる調整を行うことを契約条件に明記することによって、返済期限の延長は契約条件に基づいて行われるため、債権者が条件変更（いわゆるリスケ）として扱う必要も生じない。
【００４６】
金利変動によって返済条件がどのように更新されるかについて、以下に本発明の第１、第２の実施形態を説明する。第１の実施形態では、１回あたりの返済額についてあらかじめ上限金額を設定し、金利変動時には設定された上限金額を超えないで、返済回数が整数回であり元利均等となる１回あたりの返済額を演算する。第２の実施形態では、１回あたりの返済額を当初の返済額で固定し、金利変動時には当初の返済額から元利均等となる返済回数を演算し、返済回数が整数とならない場合は端数を切り上げ又は切り下げて最終回の返済額で調整する。
【００４７】
まず、１回あたりの返済額の上限金額を設定した第１の実施形態について説明する。第１の実施形態の前提として、契約条件ＤＢ１２には、図３に例示した契約条件に関する情報が記憶されているものとする。ここには「各回返済上限」として、１回あたりの返済額を１２５，０００円以下に抑えることが条件として設定されており、金利が変動した場合には、１回あたりの返済額が１２５，０００円以下であり、かつ１２５，０００円に最も近い金額で、元利均等返済の可能な金額が新たな返済額として決定される。
【００４８】
具体的には、図５に例示したように、ローンの実行から１年が経過した後に、基準となる利率が２．２５％から２．５％に上昇し、優遇条件を反映した適用金利が１．２５％から１．５％に上昇すると、返済条件は次のような方法で更新される。
【００４９】
ここでは、最新の残高（２８，８７１，７２６円）に変動後の金利（１．５％）を適用して、元利均等となる１回あたりの返済額を演算するが、返済回数を固定せず、１回あたりの返済額が１２５，０００円以下であり、かつ１２５，０００円に最も近い金額となる返済回数と返済額の組み合わせを演算する。ここでは、返済期限を２０３３年９月３０日（返済回数は２７３回）とした場合に１回あたりの返済額が１２４，８９２円となり、条件に合致することになるので、返済条件のうち「各回返済額」のフィールドが１２４，８９２円に、「返済期限」が２０３３年９月３０日に書き換えられることになる。
【００５０】
このように、本実施形態によると、金利が上昇したにも関わらず１回あたりの返済額は１２５，０００円以下に抑えられ、金利上昇によって債務者の返済負担が増すことを回避している。返済期限の延長は契約条件に基づいて行われるものなので、かかる返済条件の更新が条件変更として扱われることもない。
【００５１】
尚、上記のような元利均等計算については、表計算のスプレッドシートなどで用いられるＰＭＴ関数によって容易に算出することができる。ＰＭＴ関数では、１回あたりの返済額を、
ＰＭＴ（適用金利／１年間の返済回数，返済年数×１年間の返済回数，残高）
によって求めることができるので、従来の方法であればここに適用金利（年利）、１年間の返済回数と返済年数、残高等を代入して１回あたりの返済額を求めればよいが、本実施形態では返済年数（返済年数×１年間の返済回数＝返済回数の総合計）を変動させながら１回あたりの返済額のシミュレーションを行い、「各回返済上限」に定められた金額以下であり、かつこれに最も近似する金額を、１回あたりの返済額に決定する。
【００５２】
次に、図６に例示したように、ローンの実行から１年が経過した後に、基準となる利率が２．２５％から２．０％に低下し、優遇条件を反映した適用金利が１．２５％から１．０％に低下すると、返済条件は次のような方法で更新される。尚、金利低下局面においては、新たな金利を適用することで債務者の返済負担が増すわけではないので、図７に示したように、従来と同様の方法とより返済期限を固定して１回あたりの返済額を演算することとしてもよい。
【００５３】
図６の例でも、図５の場合と同様に、最新の残高（２８，８７１，７２６円）に変動後の金利（１．０％）を適用して、元利均等となる１回あたりの返済額を演算するが、返済回数を固定せず、１回あたりの返済額が１２５，０００円以下であり、かつ１２５，０００円に最も近い金額となる返済回数と返済額の組み合わせを演算する。ここでは、返済期限を２０３２年５月３１日（返済回数は２４７回）とした場合に１回あたりの返済額が１２４，８４７円となり、条件に合致することになるので、返済条件のうち「各回返済額」のフィールドが１２４，８４７円に、「返済期限」が２０３２年５月３１日に書き換えられることになる。
【００５４】
図７の例では、金利変動によって債務者の返済負担が当初の計画より増すことがないかを確認するために、契約条件を記憶するテーブルには、当初の返済額を計算する基礎となった「初回適用金利」に関するデータを保持するフィールドを設けておく。金利変動後の適用金利がこの初回適用金利を超過しない場合は、金利変動によって債務者の返済負担が当初の計画より増すことはないと判断されるため、以下のように従来と同様の１回あたりの返済額の演算方法を適用する。
【００５５】
具体的には、返済期限、すなわち期限までの返済回数（２０３３年１月３１日までの２６５回）を固定したままで、最新の残高（２８，８７１，７２６円）に変動後の金利（１．０％）を適用して、元利均等となる１回あたりの返済額を演算する。その結果、１回あたりの返済額は１２１，３２９円となるので、返済条件のうち「各回返済額」のフィールドが１２１，３２９円に書き換えられることになる。
【００５６】
以上の処理をフローチャートとしてまとめたのが、図８である。図１の返済条件更新部１７が起動されると、契約条件ＤＢ１２に記憶された契約条件を順次読み出し、変動金利の契約か（Ｓ０１）、金利の見直し月に該当するかを確認する（Ｓ０２）。変動金利ではなく固定金利である場合、金利の見直し月に該当しない場合には、当該契約条件に関する処理を終了する。
【００５７】
次に、金利テーブル１３から市場金利が反映されたローンの基準となる金利（Ｓ０３）、契約条件ＤＢ１２から当該契約に適用されている優遇条件（Ｓ０４）をそれぞれ読み出して、当該契約に適用する金利を演算する（Ｓ０５）。演算された適用金利が、契約ＤＢ１２に記憶された現在の適用金利と一致しないか（Ｓ０６）、一致しない場合は金利が初回金利より高くなっていないか（Ｓ０７）を確認する。
【００５８】
金利が上昇している場合には、契約条件ＤＢ１２から当該契約の最新のローン残高、１回あたりの返済の上限金額を読み出し（Ｓ０８）、１回あたりの返済額が上限金額以下であり、かつ上限金額に近似する元利均等となる返済金額と返済期限を決定する（Ｓ０９）。さらに、契約条件ＤＢ１２の当該契約に関する情報のうち、適用金利、各回返済額、返済期限を更新して（Ｓ１０）、当該契約条件に関する処理を終了する。
【００５９】
金利が低下している場合についてもＳ０８〜Ｓ１０と同様の処理を行ってもよいが、次の方法によることとしてもよい。契約条件ＤＢ１２から当該契約の最新のローン残高、返済期限を読み出し（Ｓ１１）、返済期限を固定して元利均等となる１回あたりの返済額を演算し（Ｓ１２）、各回返済額に決定する。さらに、契約条件ＤＢ１２の当該契約に関する情報のうち、適用金利、各回返済額を更新して（Ｓ１３）、当該契約条件に関する処理を終了する。
【００６０】
続いて、１回あたりの返済額を固定した第２の実施形態について説明する。第２の実施形態の前提として、契約条件ＤＢ１２には、図９に例示した契約条件に関する情報が記憶されているものとする。「初回適用金利」と「当初返済額」のフィールドは、金利低下時には１回あたりの返済額を減額する方法を選択する場合に必要になるものである。
【００６１】
図１０に例示したように、ローンの実行から１年が経過した後に、基準となる利率が２．２５％から２．５％に上昇し、優遇条件を反映した適用金利が１．２５％から１．５％に上昇すると、返済条件は次のような方法で更新される。
【００６２】
ここでは、最新の残高（２８，８７１，７２６円）に変動後の金利（１．５％）を適用して、元利均等となる１回あたりの返済額を演算するが、返済回数を固定せず、１回あたりの返済額を当初と同じ１２４，７３５円に固定して、元利均等となる返済回数を演算する。ここでは、返済回数が整数とはならず端数が生じるものの、端数分に対応する元利金を最終回に返済するものとして、返済期限を２０３３年１０月３１日（返済回数は２７４回）に設定し、返済条件のうち「返済期限」が２０３３年１０月３１日に書き換えられることになる。尚、上記のように端数分を切り上げて返済回数を演算する他に、端数分を切り下げて最終回に端数分も含めて返済することとし、返済期限を２０３３年９月３０日（返済回数は２７３回）に設定することとしてもよい。
【００６３】
このように、本実施形態によると、金利が上昇したにも関わらず１回あたりの返済額は１２４，７３５円で固定され（但し、最終回のみは端数調整で異なる金額となる）、金利上昇によって債務者の返済負担が増すことを回避している。本実施形態においても、返済期限の延長は契約条件に基づいて行われるものなので、かかる返済条件の更新が条件変更として扱われることはない。
【００６４】
尚、上記のような元利均等計算についても、表計算のスプレッドシートなどで用いられるＰＭＴ関数によって容易に算出することができる。前述のとおり、ＰＭＴ関数では１回あたりの返済額を、
ＰＭＴ（適用金利／１年間の返済回数，返済年数×１年間の返済回数，残高）
によって求めることができるので、従来の方法であればここに適用金利（年利）、１年間の返済回数と返済年数、残高等を代入して１回あたりの返済額を求めればよいが、本実施形態では解となる１回あたりの返済額を固定し、逆算することによって返済年数（返済年数×１年間の返済回数＝返済回数の総合計）を決定する。
【００６５】
次に、図１１に例示したように、ローンの実行から１年が経過した後に、基準となる利率が２．２５％から２．０％に低下し、優遇条件を反映した適用金利が１．２５％から１．０％に低下すると、返済条件は次のような方法で更新される。尚、金利低下局面においては、新たな金利を適用することで債務者の返済負担が増すわけではないので、図１２に示したように、従来と同様の方法とより返済期限を固定して１回あたりの返済額を演算することとしてもよい。
【００６６】
図１１の例でも、図１０の場合と同様に、最新の残高（２８，８７１，７２６円）に変動後の金利（１．０％）を適用して、元利均等となる１回あたりの返済額を演算するが、返済回数を固定せず、１回あたりの返済額を当初と同じ１２４，７３５円に固定して、元利均等となる返済回数を演算する。ここでは、返済回数が整数とはならず端数が生じるものの、端数分に対応する元利金を最終回に返済するものとして、返済期限を２０３２年６月３０日（返済回数は２４８回）に設定し、返済条件のうち「返済期限」が２０３２年６月３０日に書き換えられることになる。尚、上記のように端数分を切り上げて返済回数を演算する他に、端数分を切り下げて最終回に端数分も含めて返済することとし、返済期限を２０３２年５月３１日（返済回数は２４７回）に設定することとしてもよい。
【００６７】
図１２の例では、金利変動によって債務者の返済負担が当初の計画より増すことがないかを確認するために、契約条件を記憶するテーブルには、当初の返済額を計算する基礎となった「初回適用金利」に関するデータを保持するフィールドを設けておく。金利変動後の適用金利がこの初回適用金利を超過しない場合は、金利変動によって債務者の返済負担が当初の計画より増すことはないと判断されるため、以下のように従来と同様の１回あたりの返済額の演算方法を適用する。
【００６８】
具体的には、返済期限、すなわち期限までの返済回数（２０３３年１月３１日までの２６５回）を固定したままで、最新の残高（２８，８７１，７２６円）に変動後の金利（１．０％）を適用して、元利均等となる１回あたりの返済額を演算する。その結果、１回あたりの返済額は１２１，３２９円となるので、返済条件のうち「各回返済額」のフィールドが１２１，３２９円に書き換えられることになる。
【００６９】
尚、ここで「各回返済額」のフィールドが書き換えられると、次回以降に金利が変動した際に、返済回数を演算する基準となる当初の１回あたりの返済額が不明となり、返済回数が算出不能となってしまうおそれがある。そこで、図１２の例に示したように、適用金利を記録するフィールドとは別に、当初の１回あたりの返済額を保持する「初回適用金利」のフィールドを設けておくことが好ましい。
【００７０】
以上の処理をフローチャートとしてまとめたのが、図１３である。図１の返済条件更新部１７が起動されると、契約条件ＤＢ１２に記憶された契約条件を順次読み出し、変動金利の契約か（Ｓ２１）、金利の見直し月に該当するかを確認する（Ｓ２２）。変動金利ではなく固定金利である場合、金利の見直し月に該当しない場合には、当該契約条件に関する処理を終了する。
【００７１】
次に、金利テーブル１３から市場金利が反映されたローンの基準となる金利（Ｓ２３）、契約条件ＤＢ１２から当該契約に適用されている優遇条件（Ｓ２４）をそれぞれ読み出して、当該契約に適用する金利を演算する（Ｓ２５）。演算された適用金利が、契約ＤＢ１２に記憶された現在の適用金利と一致しないか（Ｓ２６）、一致しない場合は金利が初回金利より高くなっていないか（Ｓ２７）を確認する。
【００７２】
金利が上昇している場合には、契約条件ＤＢ１２から当該契約の最新のローン残高、１回あたりの返済額（金利低下によって返済額が当初より減額されている場合は当初の返済額）を読み出し（Ｓ２８）、１回あたりの返済額を固定して元利均等で返済する場合の返済期限を決定する（Ｓ２９）。ここで返済回数に端数が生じれば、切り上げ又は切り下げによって最終回の返済額で調整する。さらに、契約条件ＤＢ１２の当該契約に関する情報のうち、適用金利、返済期限を更新して（Ｓ３０）、当該契約条件に関する処理を終了する。
【００７３】
金利が低下している場合についてもＳ２８〜Ｓ３０と同様の処理を行ってもよいが、次の方法によることとしてもよい。契約条件ＤＢ１２から当該契約の最新のローン残高、返済期限を読み出し（Ｓ３１）、返済期限を固定して元利均等となる１回あたりの返済額を演算し（Ｓ３２）、各回返済額に決定する。さらに、契約条件ＤＢ１２の当該契約に関する情報のうち、適用金利、各回返済額を更新して（Ｓ３３）、当該契約条件に関する処理を終了する。
【符号の説明】
【００７４】
１０  ローン契約管理装置
１１  顧客ＤＢ
１２  契約条件ＤＢ
１３  金利テーブル
１４  入力処理部
１５  出力処理部
１６  金利情報更新部
１７  返済条件更新部
２０  入力装置
３０  出力装置
４０  金利ＤＢ
【図１】
2011165016.tif 000003
【図２】
2011165016.tif 000004
【図３】
2011165016.tif 000005
【図４】
2011165016.tif 000006
【図５】
2011165016.tif 000007
【図６】
2011165016.tif 000008
【図７】
2011165016.tif 000009
【図８】
2011165016.tif 000010
【図９】
2011165016.tif 000011
【図１０】
2011165016.tif 000012
【図１１】
2011165016.tif 000013
【図１２】
2011165016.tif 000014
【図１３】
2011165016.tif 000015
【図１４】
2011165016.tif 000016
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
ローン金利の変動に対応してローン契約に定められた返済期限を更新するためのローン契約管理プログラムであって、ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに固定された値として設定された１回あたりの返済基準額を少なくとも記憶する契約条件記憶手段を備えたコンピュータに、
金利テーブルから読み出した、又は入力装置からの入力を受け付けた最新のローンの基準金利から、所定のローン契約に適用される適用金利を決定する適用金利決定ステップと、
前記適用金利決定ステップで決定した適用金利を、前記契約条件記憶手段に記憶された前記ローン契約の契約条件に関する情報に含まれる初回適用金利と対比する適用金利対比ステップと、
前記適用金利対比ステップにおいて、前記適用金利決定ステップで決定した適用金利が前記ローン契約の契約条件に関する情報に含まれる初回適用金利に満たないことが確認された場合には、前記契約条件記憶手段から、前記ローン契約の契約条件に関する情報に含まれる返済期限と最新のローン残高を読み出し、前記ローン残高に前記適用金利決定ステップで決定された適用金利を適用して、前記返済期限までに前記最新のローン残高を元利均等で返済するために必要な１回あたりの返済額を演算する返済額演算ステップと、
前記契約条件記憶手段に記憶された前記ローン契約の契約条件に関する情報に含まれる１回あたりの返済額を、前記返済額演算ステップで演算された返済額に更新する返済額更新ステップと、
前記適用金利対比ステップにおいて、前記適用金利決定ステップで決定した適用金利が前記ローン契約の契約条件に関する情報に含まれる初回適用金利を超えることが確認された場合には、前記契約条件記憶手段から、前記ローン契約の契約条件に関する情報に含まれる返済基準額と最新のローン残高を読み出し、前記ローン残高に前記適用金利決定ステップで決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定ステップと、
前記契約条件記憶手段に記憶された前記ローン契約の契約条件に関する情報に含まれるローンの返済期限を、前記返済期限決定ステップで決定された返済期限に更新する返済期限更新ステップと、を実行させ、
前記契約条件記憶手段に記憶された返済基準額には、１回あたりの返済額の上限金額が設定されていて、
前記返済期限決定ステップでは、前記上限金額を超過せず、かつ返済期限までの返済回数が整数回となる返済額を１回あたりの返済額として返済回数を演算し、前記返済期限を決定すること
を特徴とするローン契約管理プログラム。
【請求項２】
ローン金利の変動に対応してローン契約に定められた返済期限を更新するためのローン契約管理プログラムであって、ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに固定された値として設定された１回あたりの返済基準額を少なくとも記憶する契約条件記憶手段を備えたコンピュータに、
金利テーブルから読み出した、又は入力装置からの入力を受け付けた最新のローンの基準金利から、所定のローン契約に適用される適用金利を決定する適用金利決定ステップと、
前記適用金利決定ステップで決定した適用金利を、前記契約条件記憶手段に記憶された前記ローン契約の契約条件に関する情報に含まれる初回適用金利と対比する適用金利対比ステップと、
前記適用金利対比ステップにおいて、前記適用金利決定ステップで決定した適用金利が前記ローン契約の契約条件に関する情報に含まれる初回適用金利に満たないことが確認された場合には、前記契約条件記憶手段から、前記ローン契約の契約条件に関する情報に含まれる返済期限と最新のローン残高を読み出し、前記ローン残高に前記適用金利決定ステップで決定された適用金利を適用して、前記返済期限までに前記最新のローン残高を元利均等で返済するために必要な１回あたりの返済額を演算する返済額演算ステップと、
前記契約条件記憶手段に記憶された前記ローン契約の契約条件に関する情報に含まれる１回あたりの返済額を、前記返済額演算ステップで演算された返済額に更新する返済額更新ステップと、
前記適用金利対比ステップにおいて、前記適用金利決定ステップで決定した適用金利が前記ローン契約の契約条件に関する情報に含まれる初回適用金利を超えることが確認された場合には、前記契約条件記憶手段から、前記ローン契約の契約条件に関する情報に含まれる返済基準額と最新のローン残高を読み出し、前記ローン残高に前記適用金利決定ステップで決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定ステップと、
前記契約条件記憶手段に記憶された前記ローン契約の契約条件に関する情報に含まれるローンの返済期限を、前記返済期限決定ステップで決定された返済期限に更新する返済期限更新ステップと、を実行させ、
前記契約条件記憶手段に記憶された返済基準額には、１回あたりの返済額が設定されていて、
前記返済期限決定ステップでは、返済期限までの返済回数が整数回とならない場合には、返済回数の端数を切り上げ又は切り下げて前記返済期限を決定すること
を特徴とするローン契約管理プログラム。
【請求項３】
ローン金利の変動に対応してローン契約に定められた返済期限を更新するためのローン契約管理装置であって、
ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに固定された値として設定された１回あたりの返済基準額を少なくとも記憶する契約条件記憶手段と、
金利テーブルから読み出した、又は入力装置からの入力を受け付けた最新のローンの基準金利から、所定のローン契約に適用される適用金利を決定する適用金利決定手段と、
前記適用金利決定手段により決定された適用金利を、前記契約条件記憶手段に記憶された前記ローン契約の契約条件に関する情報に含まれる初回適用金利と対比する適用金利対比手段と、
前記適用金利対比手段において、前記適用金利決定手段により決定された適用金利が前記ローン契約の契約条件に関する情報に含まれる初回適用金利に満たないことが確認された場合には、前記契約条件記憶手段から、前記ローン契約の契約条件に関する情報に含まれる返済期限と最新のローン残高を読み出し、前記ローン残高に前記適用金利決定手段により決定された適用金利を適用して、前記返済期限までに前記最新のローン残高を元利均等で返済するために必要な１回あたりの返済額を演算する返済額演算手段と、
前記契約条件記憶手段に記憶された前記ローン契約の契約条件に関する情報に含まれる１回あたりの返済額を、前記返済額演算手段により演算された返済額に更新する返済額更新手段と、
前記適用金利対比手段において、前記適用金利決定手段により決定された適用金利が前記ローン契約の契約条件に関する情報に含まれる初回適用金利を超えることが確認された場合には、前記契約条件記憶手段から、前記ローン契約の契約条件に関する情報に含まれる返済基準額と最新のローン残高を読み出し、前記ローン残高に前記適用金利決定手段により決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定手段と、
前記契約条件記憶手段に記憶された前記ローン契約の契約条件に関する情報に含まれるローンの返済期限を、前記返済期限決定手段により決定された返済期限に更新する返済期限更新手段と、を備えていて、
前記契約条件記憶手段に記憶された返済基準額には、１回あたりの返済額の上限金額が設定されていて、
前記返済期限決定手段は、前記上限金額を超過せず、かつ返済期限までの返済回数が整数回となる返済額を１回あたりの返済額として返済回数を演算し、前記返済期限を決定すること
を特徴とするローン契約管理装置。
【請求項４】
ローン金利の変動に対応してローン契約に定められた返済期限を更新するためのローン契約管理装置であって、
ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに固定された値として設定された１回あたりの返済基準額を少なくとも記憶する契約条件記憶手段と、
金利テーブルから読み出した、又は入力装置からの入力を受け付けた最新のローンの基準金利から、所定のローン契約に適用される適用金利を決定する適用金利決定手段と、
前記適用金利決定手段により決定された適用金利を、前記契約条件記憶手段に記憶された前記ローン契約の契約条件に関する情報に含まれる初回適用金利と対比する適用金利対比手段と、
前記適用金利対比手段において、前記適用金利決定手段により決定された適用金利が前記ローン契約の契約条件に関する情報に含まれる初回適用金利に満たないことが確認された場合には、前記契約条件記憶手段から、前記ローン契約の契約条件に関する情報に含まれる返済期限と最新のローン残高を読み出し、前記ローン残高に前記適用金利決定手段により決定された適用金利を適用して、前記返済期限までに前記最新のローン残高を元利均等で返済するために必要な１回あたりの返済額を演算する返済額演算手段と、
前記契約条件記憶手段に記憶された前記ローン契約の契約条件に関する情報に含まれる１回あたりの返済額を、前記返済額演算手段により演算された返済額に更新する返済額更新手段と、
前記適用金利対比手段において、前記適用金利決定手段により決定された適用金利が前記ローン契約の契約条件に関する情報に含まれる初回適用金利を超えることが確認された場合には、前記契約条件記憶手段から、前記ローン契約の契約条件に関する情報に含まれる返済基準額と最新のローン残高を読み出し、前記ローン残高に前記適用金利決定手段により決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定手段と、
前記契約条件記憶手段に記憶された前記ローン契約の契約条件に関する情報に含まれるローンの返済期限を、前記返済期限決定手段により決定された返済期限に更新する返済期限更新手段と、を備えていて、
前記契約条件記憶手段に記憶された返済基準額には、１回あたりの返済額が設定されていて、
前記返済期限決定手段は、返済期限までの返済回数が整数回とならない場合には、返済回数の端数を切り上げ又は切り下げて前記返済期限を決定すること
を特徴とするローン契約管理装置。
【請求項５】
ローン金利の変動に対応してローン契約に定められた返済期限を更新するためのローン契約の管理方法であって、
ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに固定された値として設定された１回あたりの返済基準額を少なくとも記憶する契約条件記憶手段を備えた、ローン契約を管理するコンピュータが、金利テーブルから読み出した、又は入力装置からの入力を受け付けた最新のローンの基準金利から、所定のローン契約に適用される適用金利を決定する適用金利決定ステップと、
前記コンピュータが、前記適用金利決定ステップで決定した適用金利を、前記契約条件記憶手段に記憶された前記ローン契約の契約条件に関する情報に含まれる初回適用金利と対比する適用金利対比ステップと、
前記適用金利対比ステップにおいて、前記適用金利決定ステップで決定した適用金利が前記ローン契約の契約条件に関する情報に含まれる初回適用金利に満たないことが確認された場合には、前記コンピュータが、前記契約条件記憶手段から、前記ローン契約の契約条件に関する情報に含まれる返済期限と最新のローン残高を読み出し、前記ローン残高に前記適用金利決定ステップで決定された適用金利を適用して、前記返済期限までに前記最新のローン残高を元利均等で返済するために必要な１回あたりの返済額を演算する返済額演算ステップと、
前記コンピュータが、前記契約条件記憶手段に記憶された前記ローン契約の契約条件に関する情報に含まれる１回あたりの返済額を、前記返済額演算ステップで演算された返済額に更新する返済額更新ステップと、
前記適用金利対比ステップにおいて、前記適用金利決定ステップで決定した適用金利が前記ローン契約の契約条件に関する情報に含まれる初回適用金利を超えることが確認された場合には、前記コンピュータが、前記契約条件記憶手段から、前記ローン契約の契約条件に関する情報に含まれる返済基準額と最新のローン残高を読み出し、前記ローン残高に前記適用金利決定ステップで決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定ステップと、
前記コンピュータが、前記契約条件記憶手段に記憶された前記ローン契約の契約条件に関する情報に含まれるローンの返済期限を、前記返済期限決定ステップで決定された返済期限に更新する返済期限更新ステップと、を有していて、
前記契約条件記憶手段に記憶された返済基準額には、１回あたりの返済額の上限金額が設定されていて、
前記返済期限決定ステップにおいて、前記コンピュータは、前記上限金額を超過せず、かつ返済期限までの返済回数が整数回となる返済額を１回あたりの返済額として返済回数を演算し、前記返済期限を決定すること
を特徴とするローン契約の管理方法。
【請求項６】
ローン金利の変動に対応してローン契約に定められた返済期限を更新するためのローン契約の管理方法であって、
ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに固定された値として設定された１回あたりの返済基準額を少なくとも記憶する契約条件記憶手段を備えた、ローン契約を管理するコンピュータが、金利テーブルから読み出した、又は入力装置からの入力を受け付けた最新のローンの基準金利から、所定のローン契約に適用される適用金利を決定する適用金利決定ステップと、
前記コンピュータが、前記適用金利決定ステップで決定した適用金利を、前記契約条件記憶手段に記憶された前記ローン契約の契約条件に関する情報に含まれる初回適用金利と対比する適用金利対比ステップと、
前記適用金利対比ステップにおいて、前記適用金利決定ステップで決定した適用金利が前記ローン契約の契約条件に関する情報に含まれる初回適用金利に満たないことが確認された場合には、前記コンピュータが、前記契約条件記憶手段から、前記ローン契約の契約条件に関する情報に含まれる返済期限と最新のローン残高を読み出し、前記ローン残高に前記適用金利決定ステップで決定された適用金利を適用して、前記返済期限までに前記最新のローン残高を元利均等で返済するために必要な１回あたりの返済額を演算する返済額演算ステップと、
前記コンピュータが、前記契約条件記憶手段に記憶された前記ローン契約の契約条件に関する情報に含まれる１回あたりの返済額を、前記返済額演算ステップで演算された返済額に更新する返済額更新ステップと、
前記適用金利対比ステップにおいて、前記適用金利決定ステップで決定した適用金利が前記ローン契約の契約条件に関する情報に含まれる初回適用金利を超えることが確認された場合には、前記コンピュータが、前記契約条件記憶手段から、前記ローン契約の契約条件に関する情報に含まれる返済基準額と最新のローン残高を読み出し、前記ローン残高に前記適用金利決定ステップで決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定ステップと、
前記コンピュータが、前記契約条件記憶手段に記憶された前記ローン契約の契約条件に関する情報に含まれるローンの返済期限を、前記返済期限決定ステップで決定された返済期限に更新する返済期限更新ステップと、を有していて、
前記契約条件記憶手段に記憶された返済基準額には、１回あたりの返済額が設定されていて、
前記返済期限決定ステップにおいて、前記コンピュータは、返済期限までの返済回数が整数回とならない場合には、返済回数の端数を切り上げ又は切り下げて前記返済期限を決定すること
を特徴とするローン契約の管理方法。
【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
ローン金利の変動に対応してローン契約に定められた返済期限を更新するためのローン契約管理プログラムであって、ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに適用金利の変動時に１回あたりの返済額が一定額を超えないように固定された値として設定された１回あたりの返済基準額を少なくとも記憶する契約条件記憶手段を備えたコンピュータに、
金利テーブルから読み出した、又は入力装置からの入力を受け付けた最新のローンの基準金利から、所定のローン契約に適用される適用金利を決定する適用金利決定ステップと、
前記適用金利決定ステップで決定した適用金利を、前記契約条件記憶手段に記憶された前記ローン契約の契約条件に関する情報に含まれる初回適用金利と対比する適用金利対比ステップと、
前記適用金利対比ステップにおいて、前記適用金利決定ステップで決定した適用金利が前記ローン契約の契約条件に関する情報に含まれる初回適用金利に満たないことが確認された場合には、前記契約条件記憶手段から、前記ローン契約の契約条件に関する情報に含まれる返済期限と最新のローン残高を読み出し、前記ローン残高に前記適用金利決定ステップで決定された適用金利を適用して、前記返済期限までに前記最新のローン残高を元利均等で返済するために必要な１回あたりの返済額を演算する返済額演算ステップと、
前記契約条件記憶手段に記憶された前記ローン契約の契約条件に関する情報に含まれる１回あたりの返済額を、前記返済額演算ステップで演算された返済額に更新する返済額更新ステップと、
前記適用金利対比ステップにおいて、前記適用金利決定ステップで決定した適用金利が前記ローン契約の契約条件に関する情報に含まれる初回適用金利を超えることが確認された場合には、前記契約条件記憶手段から、前記ローン契約の契約条件に関する情報に含まれる返済基準額と最新のローン残高を読み出し、前記ローン残高に前記適用金利決定ステップで決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定ステップと、
前記契約条件記憶手段に記憶された前記ローン契約の契約条件に関する情報に含まれるローンの返済期限を、前記返済期限決定ステップで決定された返済期限に更新する返済期限更新ステップと、を実行させ、
前記契約条件記憶手段に記憶された返済基準額には、１回あたりの返済額の上限金額が設定されていて、
前記返済期限決定ステップでは、前記上限金額を超過せず、かつ返済期限までの返済回数が整数回となる返済額を１回あたりの返済額として返済回数を演算し、前記返済期限を決定すること
を特徴とするローン契約管理プログラム。
【請求項２】
ローン金利の変動に対応してローン契約に定められた返済期限を更新するためのローン契約管理プログラムであって、ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに適用金利の変動時に１回あたりの返済額が一定額を超えないように固定された値として設定された１回あたりの返済基準額を少なくとも記憶する契約条件記憶手段を備えたコンピュータに、
金利テーブルから読み出した、又は入力装置からの入力を受け付けた最新のローンの基準金利から、所定のローン契約に適用される適用金利を決定する適用金利決定ステップと、
前記適用金利決定ステップで決定した適用金利を、前記契約条件記憶手段に記憶された前記ローン契約の契約条件に関する情報に含まれる初回適用金利と対比する適用金利対比ステップと、
前記適用金利対比ステップにおいて、前記適用金利決定ステップで決定した適用金利が前記ローン契約の契約条件に関する情報に含まれる初回適用金利に満たないことが確認された場合には、前記契約条件記憶手段から、前記ローン契約の契約条件に関する情報に含まれる返済期限と最新のローン残高を読み出し、前記ローン残高に前記適用金利決定ステップで決定された適用金利を適用して、前記返済期限までに前記最新のローン残高を元利均等で返済するために必要な１回あたりの返済額を演算する返済額演算ステップと、
前記契約条件記憶手段に記憶された前記ローン契約の契約条件に関する情報に含まれる１回あたりの返済額を、前記返済額演算ステップで演算された返済額に更新する返済額更新ステップと、
前記適用金利対比ステップにおいて、前記適用金利決定ステップで決定した適用金利が前記ローン契約の契約条件に関する情報に含まれる初回適用金利を超えることが確認された場合には、前記契約条件記憶手段から、前記ローン契約の契約条件に関する情報に含まれる返済基準額と最新のローン残高を読み出し、前記ローン残高に前記適用金利決定ステップで決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定ステップと、
前記契約条件記憶手段に記憶された前記ローン契約の契約条件に関する情報に含まれるローンの返済期限を、前記返済期限決定ステップで決定された返済期限に更新する返済期限更新ステップと、を実行させ、
前記契約条件記憶手段に記憶された返済基準額には、１回あたりの返済額が設定されていて、
前記返済期限決定ステップでは、返済期限までの返済回数が整数回とならない場合には、返済回数の端数を切り上げ又は切り下げて前記返済期限を決定すること
を特徴とするローン契約管理プログラム。
【請求項３】
ローン金利の変動に対応してローン契約に定められた返済期限を更新するためのローン契約管理装置であって、
ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに適用金利の変動時に１回あたりの返済額が一定額を超えないように固定された値として設定された１回あたりの返済基準額を少なくとも記憶する契約条件記憶手段と、
金利テーブルから読み出した、又は入力装置からの入力を受け付けた最新のローンの基準金利から、所定のローン契約に適用される適用金利を決定する適用金利決定手段と、
前記適用金利決定手段により決定された適用金利を、前記契約条件記憶手段に記憶された前記ローン契約の契約条件に関する情報に含まれる初回適用金利と対比する適用金利対比手段と、
前記適用金利対比手段において、前記適用金利決定手段により決定された適用金利が前記ローン契約の契約条件に関する情報に含まれる初回適用金利に満たないことが確認された場合には、前記契約条件記憶手段から、前記ローン契約の契約条件に関する情報に含まれる返済期限と最新のローン残高を読み出し、前記ローン残高に前記適用金利決定手段により決定された適用金利を適用して、前記返済期限までに前記最新のローン残高を元利均等で返済するために必要な１回あたりの返済額を演算する返済額演算手段と、
前記契約条件記憶手段に記憶された前記ローン契約の契約条件に関する情報に含まれる１回あたりの返済額を、前記返済額演算手段により演算された返済額に更新する返済額更新手段と、
前記適用金利対比手段において、前記適用金利決定手段により決定された適用金利が前記ローン契約の契約条件に関する情報に含まれる初回適用金利を超えることが確認された場合には、前記契約条件記憶手段から、前記ローン契約の契約条件に関する情報に含まれる返済基準額と最新のローン残高を読み出し、前記ローン残高に前記適用金利決定手段により決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定手段と、
前記契約条件記憶手段に記憶された前記ローン契約の契約条件に関する情報に含まれるローンの返済期限を、前記返済期限決定手段により決定された返済期限に更新する返済期限更新手段と、を備えていて、
前記契約条件記憶手段に記憶された返済基準額には、１回あたりの返済額の上限金額が設定されていて、
前記返済期限決定手段は、前記上限金額を超過せず、かつ返済期限までの返済回数が整数回となる返済額を１回あたりの返済額として返済回数を演算し、前記返済期限を決定すること
を特徴とするローン契約管理装置。
【請求項４】
ローン金利の変動に対応してローン契約に定められた返済期限を更新するためのローン契約管理装置であって、
ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに適用金利の変動時に１回あたりの返済額が一定額を超えないように固定された値として設定された１回あたりの返済基準額を少なくとも記憶する契約条件記憶手段と、
金利テーブルから読み出した、又は入力装置からの入力を受け付けた最新のローンの基準金利から、所定のローン契約に適用される適用金利を決定する適用金利決定手段と、
前記適用金利決定手段により決定された適用金利を、前記契約条件記憶手段に記憶された前記ローン契約の契約条件に関する情報に含まれる初回適用金利と対比する適用金利対比手段と、
前記適用金利対比手段において、前記適用金利決定手段により決定された適用金利が前記ローン契約の契約条件に関する情報に含まれる初回適用金利に満たないことが確認された場合には、前記契約条件記憶手段から、前記ローン契約の契約条件に関する情報に含まれる返済期限と最新のローン残高を読み出し、前記ローン残高に前記適用金利決定手段により決定された適用金利を適用して、前記返済期限までに前記最新のローン残高を元利均等で返済するために必要な１回あたりの返済額を演算する返済額演算手段と、
前記契約条件記憶手段に記憶された前記ローン契約の契約条件に関する情報に含まれる１回あたりの返済額を、前記返済額演算手段により演算された返済額に更新する返済額更新手段と、
前記適用金利対比手段において、前記適用金利決定手段により決定された適用金利が前記ローン契約の契約条件に関する情報に含まれる初回適用金利を超えることが確認された場合には、前記契約条件記憶手段から、前記ローン契約の契約条件に関する情報に含まれる返済基準額と最新のローン残高を読み出し、前記ローン残高に前記適用金利決定手段により決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定手段と、
前記契約条件記憶手段に記憶された前記ローン契約の契約条件に関する情報に含まれるローンの返済期限を、前記返済期限決定手段により決定された返済期限に更新する返済期限更新手段と、を備えていて、
前記契約条件記憶手段に記憶された返済基準額には、１回あたりの返済額が設定されていて、
前記返済期限決定手段は、返済期限までの返済回数が整数回とならない場合には、返済回数の端数を切り上げ又は切り下げて前記返済期限を決定すること
を特徴とするローン契約管理装置。
【請求項５】
ローン金利の変動に対応してローン契約に定められた返済期限を更新するためのローン契約の管理方法であって、
ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに適用金利の変動時に１回あたりの返済額が一定額を超えないように固定された値として設定された１回あたりの返済基準額を少なくとも記憶する契約条件記憶手段を備えた、ローン契約を管理するコンピュータが、金利テーブルから読み出した、又は入力装置からの入力を受け付けた最新のローンの基準金利から、所定のローン契約に適用される適用金利を決定する適用金利決定ステップと、
前記コンピュータが、前記適用金利決定ステップで決定した適用金利を、前記契約条件記憶手段に記憶された前記ローン契約の契約条件に関する情報に含まれる初回適用金利と対比する適用金利対比ステップと、
前記適用金利対比ステップにおいて、前記適用金利決定ステップで決定した適用金利が前記ローン契約の契約条件に関する情報に含まれる初回適用金利に満たないことが確認された場合には、前記コンピュータが、前記契約条件記憶手段から、前記ローン契約の契約条件に関する情報に含まれる返済期限と最新のローン残高を読み出し、前記ローン残高に前記適用金利決定ステップで決定された適用金利を適用して、前記返済期限までに前記最新のローン残高を元利均等で返済するために必要な１回あたりの返済額を演算する返済額演算ステップと、
前記コンピュータが、前記契約条件記憶手段に記憶された前記ローン契約の契約条件に関する情報に含まれる１回あたりの返済額を、前記返済額演算ステップで演算された返済額に更新する返済額更新ステップと、
前記適用金利対比ステップにおいて、前記適用金利決定ステップで決定した適用金利が前記ローン契約の契約条件に関する情報に含まれる初回適用金利を超えることが確認された場合には、前記コンピュータが、前記契約条件記憶手段から、前記ローン契約の契約条件に関する情報に含まれる返済基準額と最新のローン残高を読み出し、前記ローン残高に前記適用金利決定ステップで決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定ステップと、
前記コンピュータが、前記契約条件記憶手段に記憶された前記ローン契約の契約条件に関する情報に含まれるローンの返済期限を、前記返済期限決定ステップで決定された返済期限に更新する返済期限更新ステップと、を有していて、
前記契約条件記憶手段に記憶された返済基準額には、１回あたりの返済額の上限金額が設定されていて、
前記返済期限決定ステップにおいて、前記コンピュータは、前記上限金額を超過せず、かつ返済期限までの返済回数が整数回となる返済額を１回あたりの返済額として返済回数を演算し、前記返済期限を決定すること
を特徴とするローン契約の管理方法。
【請求項６】
ローン金利の変動に対応してローン契約に定められた返済期限を更新するためのローン契約の管理方法であって、
ローン契約の契約条件に関する情報として、最新のローン残高、前記ローン契約に適用される適用金利及びローン契約当初に適用された初回適用金利、更新可能な値として設定されたローンの返済期限、更新可能な値として設定された１回あたりの返済額、並びに適用金利の変動時に１回あたりの返済額が一定額を超えないように固定された値として設定された１回あたりの返済基準額を少なくとも記憶する契約条件記憶手段を備えた、ローン契約を管理するコンピュータが、金利テーブルから読み出した、又は入力装置からの入力を受け付けた最新のローンの基準金利から、所定のローン契約に適用される適用金利を決定する適用金利決定ステップと、
前記コンピュータが、前記適用金利決定ステップで決定した適用金利を、前記契約条件記憶手段に記憶された前記ローン契約の契約条件に関する情報に含まれる初回適用金利と対比する適用金利対比ステップと、
前記適用金利対比ステップにおいて、前記適用金利決定ステップで決定した適用金利が前記ローン契約の契約条件に関する情報に含まれる初回適用金利に満たないことが確認された場合には、前記コンピュータが、前記契約条件記憶手段から、前記ローン契約の契約条件に関する情報に含まれる返済期限と最新のローン残高を読み出し、前記ローン残高に前記適用金利決定ステップで決定された適用金利を適用して、前記返済期限までに前記最新のローン残高を元利均等で返済するために必要な１回あたりの返済額を演算する返済額演算ステップと、
前記コンピュータが、前記契約条件記憶手段に記憶された前記ローン契約の契約条件に関する情報に含まれる１回あたりの返済額を、前記返済額演算ステップで演算された返済額に更新する返済額更新ステップと、
前記適用金利対比ステップにおいて、前記適用金利決定ステップで決定した適用金利が前記ローン契約の契約条件に関する情報に含まれる初回適用金利を超えることが確認された場合には、前記コンピュータが、前記契約条件記憶手段から、前記ローン契約の契約条件に関する情報に含まれる返済基準額と最新のローン残高を読み出し、前記ローン残高に前記適用金利決定ステップで決定された適用金利を適用して、前記返済基準額に基づいて決定された１回あたりの返済額から前記最新のローン残高を元利均等で返済するために必要な返済回数を演算して、前記適用金利を適用することによって変動する返済期限を決定する返済期限決定ステップと、
前記コンピュータが、前記契約条件記憶手段に記憶された前記ローン契約の契約条件に関する情報に含まれるローンの返済期限を、前記返済期限決定ステップで決定された返済期限に更新する返済期限更新ステップと、を有していて、
前記契約条件記憶手段に記憶された返済基準額には、１回あたりの返済額が設定されていて、
前記返済期限決定ステップにおいて、前記コンピュータは、返済期限までの返済回数が整数回とならない場合には、返済回数の端数を切り上げ又は切り下げて前記返済期限を決定すること
を特徴とするローン契約の管理方法。